(57)【特許請求の範囲】
【請求項１】
被写体を撮像して画像データを生成する撮像手段と、
表示フレームレートと解像度の組み合わせが異なる複数の表示モードを有し、前記撮像手段により生成した画像データを表示する表示手段と、
前記表示手段に対して、前記表示モードに応じた制御をする制御手段と、
前記撮像手段により撮像した画像を記録する記録手段と、
前記記録手段に記録した画像を再生する画像再生手段と、
前記撮像手段により撮像を行う撮影モードと前記画像再生手段により画像再生を行う再生モードが選択可能な第１の選択手段と、
動画像の記録開始および停止の指示をすることが可能な記録指示手段と、
を有し、
前記撮影モードが選択された場合は、
前記制御手段は、前記表示手段を第２の表示モードよりフレームレートが高い第１の表示モードで動作させ、前記再生モードが選択された場合は前記表示手段を該第１の表示モードより解像度が高い該第２の表示モードで動作させ、
前記撮影モードにおいて前記表示手段を前記第１の表示モードで動作させているときに前記記録指示手段により動画像の記録開始を指示した場合は、
前記記録手段は、前記第１の表示モードのフレームレートより低いフレームレートで前記動画像を記録して、
前記制御手段は、前記表示モードを前記第１の表示モードのまま変更しないことを特徴とする撮像装置。
【請求項２】
ユーザ操作に応じて合焦位置を設定するマニュアルフォーカスモードと、前記撮像手段により生成された画像データに基づいて合焦位置を設定するオートフォーカスモードとが選択可能な第２の選択手段と、を有し、
前記制御手段は、前記撮影モードにおいて前記表示手段を前記第１の表示モードで動作させているときに、前記マニュアルフォーカスモードが選択された場合は、前記表示手段を該第１の表示モードより解像度が高い前記第２の表示モードで動作させるように変更することを特徴とする請求項１に記載の撮像装置。
【請求項３】
前記画像再生手段は、前記記録手段に記録した直後に記録した該画像を所定時間表示するレビュー機能を有し、
前記制御手段は、前記撮影モードにおいて前記表示手段を前記第１の表示モードで動作させているときに、前記レビュー機能により前記画像が再生された場合には前記表示モードを前記第１の表示モードのまま変更しないことを特徴とする請求項１又は２に記載の撮像装置。
【請求項４】
前記撮影モードにおいて高速表示優先かを選択可能な第３の選択手段と、を有し、
前記制御手段は、前記撮影モードが選択されているときに、前記高速表示優先の場合に前記表示手段を前記第１の表示モードで動作させることを特徴とする請求項１乃至３のいずれか１項に記載の撮像装置。
【請求項５】
前記制御手段は、前記表示モードを切り替えるときに黒画像を表示することを特徴とする請求項１乃至４のいずれか１項に記載の撮像装置。
【請求項６】
前記表示手段は、電子ファインダであることを特徴とする請求項１乃至５のいずれか１項に記載の撮像装置。
【発明の詳細な説明】
【技術分野】
【０００１】
本発明は、撮像装置に関し、特に静止画像や動画像を撮像、記録、再生する撮像装置に関するものである。
【背景技術】
【０００２】
従来の撮像装置には、撮影モードがスポーツモードの場合は撮像センサの駆動方法を高速読み出しとし、スポーツモード以外の撮影モードの場合は撮像センサの駆動方法を高精細読み出しとしている。そのように読み出し方を変えることで、撮像センサの駆動方法を撮影モードに応じて適切にしようとするものがある（特許文献１参照）。
【先行技術文献】
【特許文献】
【０００３】
【特許文献１】特開２００５−８６４９９号公報
【発明の概要】
【発明が解決しようとする課題】
【０００４】
しかしながら、表示フレームレート、表示解像度などの表示品質の観点からは、ライブビュー表示を行う等をした撮影を行う撮影モードや、撮影した画像を確認するのに画像再生を行う再生モードによって表示デバイス最適な駆動方法が異なる。そのため、上述の従来技術では、複数の駆動方法がある表示デバイスを備えた撮像装置においては、再生モードで表示デバイスが低解像度の駆動であると再生画像の視認性が良くない等の問題が生じる。
【０００５】
そこで、本発明の目的は、撮影モード、再生モード等のモードに応じて表示デバイスの駆動方法を最適にすることで、表示品質を向上することを可能にした撮像装置を提供することである。
【課題を解決するための手段】
【０００６】
本発明における撮像装置は、被写体を撮像して画像データを生成する撮像手段と、表示フレームレートと解像度の組み合わせが異なる複数の表示モードを有し、前記撮像手段により生成した画像データを表示する表示手段と、前記表示手段に対して、前記表示モードに応じた制御をする制御手段と、前記撮像手段により撮像した画像を記録する記録手段と、前記記録手段により記録した画像を再生する画像再生手段と、前記撮像手段により撮像を行う撮影モードと前記画像再生手段により画像再生を行う再生モードが選択可能な第１の選択手段と、動画像の記録開始および停止の指示をすることが可能な記録指示手段と、を有し、前記撮影モードが選択された場合は、前記制御手段は、前記表示手段を第２の表示モードよりフレームレートが高い第１の表示モードで動作させ、前記再生モードが選択された場合は前記表示手段を該第１の表示モードより解像度が高い該第２の表示モードで動作させ、前記撮影モードにおいて前記表示手段を前記第１の表示モードで動作させているときに前記記録指示手段により動画像の記録開始を指示した場合は、前記記録手段は、前記第１の表示モードのフレームレートより低いフレームレートで前記動画像を記録して、前記制御手段は、前記表示モードを前記第１の表示モードのまま変更しないことを特徴とする。
【発明の効果】
【０００７】
本発明によれば、撮影モード、再生モード等のモードに応じて表示デバイスの駆動方法を最適にすることで、表示品質を向上することを可能にした撮像装置を提供することができる。
【図面の簡単な説明】
【０００８】
【図１】本発明を実施するための形態の構成ブロック図
【図２】表示部５０の２つの表示モードの関係を示す図
【図３】表示部５０の通常モードから高速モードへの表示モード切り替え処理のフローチャート
【図４】表示部５０の高速モードから通常モードへの表示モード切り替え処理のフローチャート
【図５】撮影画面表示設定の選択内容に応じた、表示部５０の表示モードと撮像部１３の駆動方法、および利用者が体感できるライブビューの体感表示フレームレートの関係を示す表
【図６】実施例１における撮影モード／再生モード切り替え時の表示部５０の表示モード切り替え処理のフローチャート
【図７】実施例２におけるフォーカス動作モード切り替え時の表示部５０の表示モード切り替え処理のフローチャート
【図８】実施例３における動画記録開始処理のフローチャート
【図９】実施例３の動画記録開始処理における撮像部１３の駆動、動画エンコードおよび記録媒体２００への記録、ライブビュー表示データ生成、表示部５０の表示モードの関係を示したタイミング図
【図１０】動画ボタン操作等により動画記録を開始した際、表示部５０の表示モードを変更した場合の動画記録開始処理のフローチャート
【図１１】図１０に示す動画記録開始処理における撮像部１３の駆動、動画エンコードおよび記録媒体２００への記録、ライブビュー表示データ生成、表示部５０の表示モードの関係を示したタイミング図
【図１２】実施例４における静止画像撮影処理のフローチャート
【図１３】静止画像撮影後のレビュー画像を表示する際、表示部５０の表示モードを変更した場合の静止画像撮影処理のフローチャート
【発明を実施するための形態】
【０００９】
以下、図面を参照して本発明の好適な実施形態を説明する。
【００１０】
図１は、本実施形態による撮像装置１００の構成例を示すブロック図である。
【００１１】
図１において、撮影レンズ１１はズームレンズ、フォーカスレンズを含むレンズ群である。シャッター１２は絞り機能を備えるシャッターである。撮像部１３は光学像を電気信号に変換するＣＣＤやＣＭＯＳ素子等で構成される撮像素子である。Ａ／Ｄ変換器１４は、アナログ信号をデジタル信号に変換する。Ａ／Ｄ変換器１４は、撮像部１３から出力されるアナログ信号をデジタル信号に変換するために用いられる。バリア１０は、撮像装置１００の、撮影レンズ１１を含む撮像系を覆うことにより、撮影レンズ１１、シャッター１２、撮像部１３を含む撮像系の汚れや破損を防止する。
【００１２】
画像処理部２０は、Ａ／Ｄ変換器１４からのデータ、又は、メモリ制御部２１からのデータに対し所定の画素補間、縮小といったリサイズ処理や色変換処理を行う。また、画像処理部２０では、撮像した画像データを用いて所定の演算処理が行われ、得られた演算結果に基づいてシステム制御部３０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器１４からの出力データは、画像処理部２０及びメモリ制御部２１を介して、或いは、メモリ制御部２１を介してメモリ４０に直接書き込まれる。メモリ４０は、撮像部１３によって得られＡ／Ｄ変換器１４によりデジタルデータに変換された画像データや、表示部５０に表示するための画像データを格納する。メモリ４０は、所定枚数の静止画像や所定時間の動画像および音声を格納するのに十分な記憶容量を備えている。
【００１４】
また、メモリ４０は画像表示用のメモリを兼ねている。表示部５０はＬＣＤ等から成る画像表示部であり、メモリ４０に書き込まれた画像表示用のデータはメモリ制御部２１を介して表示部５０により表示される。システム制御部３０は、プログラムに従い表示制御信号を生成し、表示部５０に表示するための映像信号を生成して表示部５０に出力するように撮像装置１００の各部を制御する。表示部５０は出力された映像信号に基づいて映像を表示する。なお、撮像装置１００自体が備える構成としては表示部５０に表示させるための映像信号を出力するためのインターフェースまでとし、表示部５０は外付けのモニタ（テレビなど）で構成してもよい。表示部５０を用いて撮像した画像データを逐次表示すれば、電子ファインダー機能を実現することが可能である。また、表示部５０は、システム制御部３０の指示により任意に表示をＯＮ／ＯＦＦすることが可能であり、表示をＯＦＦにした場合には撮像装置１００の電力消費を大幅に低減することが出来る。
【００１５】
不揮発性メモリ４１は、電気的に消去・記録可能なメモリであり、例えばＥＥＰＲＯＭ等が用いられる。不揮発性メモリ４１には、システム制御部３０の動作用の定数、プログラム等が記憶される。ここでいう、プログラムとは、本実施形態にて後述する各種フローチャートを実行するためのプログラムのことである。
【００１６】
システム制御部３０は、撮像装置１００全体を制御する。前述した不揮発性メモリ４１に記録されたプログラムを実行することで、後述する本実施形態の各処理を実現する。３１はシステムメモリであり、ＲＡＭが用いられる。システムメモリ３１には、システム制御部３０の動作用の定数、変数、不揮発性メモリ４１から読み出したプログラム等を展開する。また、システム制御部３０はメモリ４０、表示部５０を制御することにより表示制御も行う。
【００１７】
システムタイマー３２は各種制御に用いる時間や、内蔵された時計の時間を計測する計時部である。
【００１８】
操作部５３はシステム制御部３０に各種の動作指示を入力するための操作手段である。
【００１９】
操作部５３の各操作部材は、表示部５０に表示される種々の機能アイコンを選択操作することなどにより、場面ごとに適宜機能が割り当てられ、各種機能ボタンとして作用する。機能ボタンとしては、例えば終了ボタン、戻るボタン、撮影モード／再生モード／その他特殊撮影モードの切替えを行うモード切替スイッチ、動画記録開始／停止操作を行う動画ボタン、画像送りボタン、ジャンプボタン、絞込みボタン、属性変更ボタン等がある。例えば、メニューボタンが押されると各種の設定可能なメニュー画面が表示部５０に表示される。利用者は、表示部５０に表示されたメニュー画面と、上下左右の４方向ボタンやＳＥＴボタンとを用いて直感的に各種設定を行うことができる。
【００２０】
電源制御部６０は、電池検出回路、ＤＣ−ＤＣコンバータ、通電するブロックを切り替えるスイッチ回路等により構成され、電池の装着の有無、電池の種類、電池残量の検出を行う。また、電源制御部６０は、その検出結果及びシステム制御部３０の指示に基づいてＤＣ−ＤＣコンバータを制御し、必要な電圧を必要な期間、記録媒体２００を含む各部へ供給する。
【００２１】
電源部７０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ５５は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２２】
以下、図２〜１３を参照して、本発明の実施例の動作を説明する。
【００２３】
なお実施例では、表示部５０は表示フレームレートと表示解像度が異なる２つの表示モードがあるものとする。図２は表示部５０の２つの表示モードの関係を示す図である。２０１は、表示フレームレートが６０ｆｐｓ、表示解像度が１０２４×７６８ｐｉｘｅｌである通常モードである。２０２は、表示フレームレートが１２０ｆｐｓ、表示解像度が１０２４×３８４ｐｉｘｅｌである高速モードである。
【００２４】
図３は、表示部５０の通常モードから高速モードへの表示モード切り替え処理のフローチャートである。このフローチャートにおける各処理は、システム制御部３０が不揮発性メモリ４１に格納されたプログラムをシステムメモリ３１に展開して実行することにより実現される。
【００２５】
Ｓ３０１では、システム制御部３０は、通常モードから高速モードへの表示モード切り替え中に発生する可能性のある表示の乱れ等により品位を損なわないようにまず黒画像を表示する。
【００２６】
Ｓ３０２では、システム制御部３０は、映像信号生成フレームレートを６０ｆｐｓから１２０ｆｐｓへ変更し、表示部５０へ出力する。
【００２７】
Ｓ３０３では、システム制御部３０は、表示部５０の表示モードを通常モードから高速モードへ変更する。
【００２８】
Ｓ３０４では、システム制御部３０は、Ｓ３０１にて表示していた黒画像を解除する。
【００２９】
図４は、表示部５０の高速モードから通常モードへの表示モード切り替え処理のフローチャートである。このフローチャートにおける各処理は、システム制御部３０が不揮発性メモリ４１に格納されたプログラムをシステムメモリ３１に展開して実行することにより実現される。
【００３０】
Ｓ４０１およびＳ４０４は、上述した図３のＳ３０１およびＳ３０４と同様の処理なので説明を省略する。
【００３１】
Ｓ４０２では、システム制御部３０は、映像信号生成フレームレートを１２０ｆｐｓから６０ｆｐｓへ変更し、表示部５０へ出力する。
【００３２】
Ｓ４０３では、システム制御部３０は、表示部５０の表示モードを高速モードから通常モードへ変更する。
【００３３】
また実施例では、表示部５０の表示モードと撮像部１３の駆動方法とが異なる、利用者が選択可能な複数の動作モードを備えている。利用者が選択可能な設定項目は、撮影画面表示設定である。撮影画面表示設定は、省電力優先と標準および高速表示優先を選択することができる。
【００３４】
図５は、撮影画面表示設定の選択内容に応じた、表示部５０の表示モードと撮像部１３の駆動方法、および利用者が体感できるライブビューの体感表示フレームレートの関係を示す表である。
【００３５】
例えば、撮影画面表示設定で高速表示優先を選択している時は、表示部５０の表示モードは高速モード（５０１）。撮像部１３の駆動方法はフレームレートが１２０ｆｐｓで低解像度（５０２）、ライブビューの体感表示フレームレートは１２０ｆｐｓである（５０３）。これにより、動く被写体を追う場合等の操作性を高めている。
【００３６】
撮影画面表示設定で標準を選択している時は、表示部５０の表示モードは通常モードで（５０４）撮像部１３の駆動方法はフレームレートが６０ｆｐｓで高解像度（５０５）、ライブビューの体感表示フレームレートは６０ｆｐｓである（５０６）。これにより、正確なピント合わせをする場合等の表示解像度が必要なシーンでの操作性を高めている。
【００３７】
撮影画面表示設定で省電力優先を選択している時は、表示部５０の表示モードは通常モード（５０７）。撮像部１３の駆動方法は消費電力の低いフレームレートが３０ｆｐｓで解像度が５０２と５０４の間（以後、中解像度と記載する）（５０８）、ライブビューの体感表示フレームレートは３０ｆｐｓである（５０９）。これにより、電力消費を抑えて撮影可能枚数を高めている。
【実施例１】
【００３８】
実施例１では、撮影画面表示設定で高速表示優先が選択された状態において、撮影モードおよび再生モードのモード切り替えをする場合に、表示部５０の表示モードを変更する例を述べる。
【００３９】
図６は、実施例１における撮影モード／再生モード切り替え時の表示部５０の表示モード切り替え処理のフローチャートである。このフローチャートにおける各処理は、システム制御部３０が不揮発性メモリ４１に格納されたプログラムをシステムメモリ３１に展開して実行することにより実現される。
【００４０】
Ｓ６０１では、システム制御部３０は、撮影モードから再生モードへの切り替えか、再生モードから撮影モードへの切り替えかを判定する。撮影モードから再生モードへの切り替えの場合はＳ６０２へ進む。再生モードから撮影モードへの切り替えの場合はＳ６１０へ進む。
【００４１】
Ｓ６０２では、システム制御部３０は、表示部５０の表示モードの切り替え中に発生する可能性のある表示の乱れ等により品位を損なわないようにまず黒画像を表示する。
【００４２】
Ｓ６０３では、システム制御部３０は、画像を所定時間表示するライブビュー表示用データ（１０２４×３８４ｐｉｘｅｌ）の生成を停止する。
【００４３】
Ｓ６０４では、システム制御部３０は、撮像部１３の駆動を停止する。
【００４４】
Ｓ６０５では、システム制御部３０は、表示部５０の表示モードを高速モードから通常モードへ変更する。
【００４５】
Ｓ６０６では、システム制御部３０は、記録媒体２００内に記録された画像の読み込みを行う。
【００４６】
Ｓ６０７では、システム制御部３０は、Ｓ６０６で読み込んだ画像をデコードし、再生画像表示用データ（１０２４×７６８ｐｉｘｅｌ）を生成する。
【００４７】
Ｓ６０８では、システム制御部３０は、Ｓ６０２にて表示していた黒画像を解除し、本処理を終了する。
【００４８】
Ｓ６０９では、システム制御部３０は、表示部５０の表示モードの切り替え中に発生する可能性のある表示の乱れ等により品位を損なわないようにまず黒画像を表示する。
【００４９】
Ｓ６１０では、システム制御部３０は、表示部５０の表示モードを通常モードから高速モードへ変更する。
【００５０】
Ｓ６１１では、システム制御部３０は、撮像部１３の駆動を開始する。
【００５１】
Ｓ６１２では、システム制御部３０は、ライブビュー表示用データ（１０２４×７６８ｐｉｘｅｌ）の生成を開始する。
【００５２】
Ｓ６１３では、システム制御部３０は、Ｓ６０９にて表示していた黒画像を解除し、本処理を終了する。
【００５３】
以上のように、実施例１によれば、撮影モードにおいては、動く被写体を追う場合等の操作性を高めながら、再生モードにおいては、表示解像度の高い画像再生表示を行うことで視認性も高めることが可能となる。
【実施例２】
【００５４】
実施例２では、撮影画面表示設定で高速表示優先が選択された状態において、オートフォーカスモードおよびマニュアルフォーカスモードのフォーカス動作モード切り替えをする場合に、表示部５０の表示モードを変更する例を述べる。
【００５５】
図７は、実施例２におけるフォーカス動作モード切り替え時の表示部５０の表示モード切り替え処理のフローチャートである。このフローチャートにおける各処理は、システム制御部３０が不揮発性メモリ４１に格納されたプログラムをシステムメモリ３１に展開して実行することにより実現される。
【００５６】
Ｓ７０１では、システム制御部３０は、フォーカス動作モードを判定する。マニュアルフォーカスモードへの切り替えの場合はＳ７０２へ進む。オートフォーカスモードへの切り替えの場合はＳ７０７へ進む。
【００５７】
Ｓ７０２では、システム制御部３０は、フォーカスレンズの駆動を停止する。
【００５８】
Ｓ７０３では、システム制御部３０は、表示部５０の表示モードの切り替え中に発生する可能性のある表示の乱れ等により品位を損なわないようにまず黒画像を表示する。
【００５９】
Ｓ７０４では、システム制御部３０は、ライブビュー表示用データ（１０２４×３８４ｐｉｘｅｌ）の生成を停止する。
【００６０】
Ｓ７０５では、システム制御部３０は、撮像部１３の駆動方法をフレームレートが３０ｆｐｓで高解像度のマニュアルフォーカス用の駆動方法へと変更する。
【００６１】
Ｓ７０６では、システム制御部３０は、表示部５０の表示モードを高速モードから通常モードへ変更する。
【００６２】
Ｓ７０７では、システム制御部３０は、ライブビュー表示用データ（１０２４×７６８ｐｉｘｅｌ）の生成を開始する。
【００６３】
Ｓ７０８では、システム制御部３０は、Ｓ７０２にて表示していた黒画像を解除し、本処理を終了する。
【００６４】
Ｓ７０９では、システム制御部３０は、表示部５０の表示モードの切り替え中に発生する可能性のある表示の乱れ等により品位を損なわないようにまず黒画像を表示する。
【００６５】
Ｓ７１０では、ライブビュー表示用データ（１０２４×７６８ｐｉｘｅｌ）の生成を停止する。
【００６６】
Ｓ７１１では、システム制御部３０は、撮像部１３の駆動方法をフレームレートが１２０ｆｐｓで低解像度のオートフォーカス用の駆動方法へと変更する。
【００６７】
Ｓ７１２では、システム制御部３０は、表示部５０の表示モードを通常モードから高速モードへ変更する。
【００６８】
Ｓ７１３では、システム制御部３０は、ライブビュー表示用データ（１０２４×３８４ｐｉｘｅｌ）の生成を開始する。
【００６９】
Ｓ７１４では、システム制御部３０は、Ｓ７０９にて表示していた黒画像する。
【００７０】
Ｓ７１５では、システム制御部３０は、フォーカスレンズの駆動を開始して処理を終了する。
【００７１】
以上のように、実施例２によれば、オートフォーカスモードにおいては、表示フレームレート１２０ｆｐｓのライブビュー表示により、動く被写体を追う場合等の操作性を高めることができる。また、マニュアルフォーカスモードにおいては、表示解像度の高い（１０２４×７６８ｐｉｘｅｌ）ライブビュー表示により、正確なピント合わせをする場合等の操作性を高めることができる。
【実施例３】
【００７２】
実施例３では、撮影画面表示設定で高速表示優先が選択された状態において、撮影モードのライブビュー表示中に動画ボタン操作等により動画記録を開始した場合には、表示部５０の表示モードを変更しない例を述べる。ここでは記録する動画の記録レート６０ｆｐｓとする。
【００７３】
図８は、実施例３における動画記録開始処理のフローチャートである。このフローチャートにおける各処理は、システム制御部３０が不揮発性メモリ４１に格納されたプログラムをシステムメモリ３１に展開して実行することにより実現される。
【００７４】
また図９は、実施例３の動画記録開始処理における撮像部１３の駆動（９０１）、動画エンコードおよび記録媒体２００への記録（９０２）、ライブビュー表示データ生成（９０３）、表示部５０の表示モード（９０４）の関係を示したタイミング図である。
【００７５】
Ｓ８０１では、システム制御部３０は、撮像部１３の駆動（１２０ｆｐｓ・低解像度）を停止する（９０５）。
【００７６】
Ｓ８０２では、システム制御部３０は、ライブビュー表示用データ（１０２４×３８４ｐｉｘｅｌ）の生成を停止する（９０６）。
【００７７】
Ｓ８０３では、システム制御部３０は、撮像部１３の駆動方法を動画用（６０ｆｐｓ・高解像度）に変更して駆動開始する（９０７）。
【００７８】
Ｓ８０４では、システム制御部３０は、撮像部１３から撮像された画像のエンコードおよび記録媒体２００へ記録を開始する（９０８）。
【００７９】
Ｓ８０５では、システム制御部３０は、ライブビュー表示用データ（１０２４×７６８ｐｉｘｅｌ）の生成を開始して処理を終了する（９０９）。
【００８０】
これに対し、撮影画面表示設定で高速表示優先が選択された状態において、撮影モードのライブビュー表示中に動画ボタンでの動画の記録指示の操作等により動画記録を開始した際、表示部５０の表示モードを変更した場合の動画記録開始処理が図１０である。また図１１は、図１０に示す動画記録開始処理における撮像部１３の駆動（１１０１）、動画エンコードおよび記録媒体２００への記録（１１０２）、ライブビュー表示データ生成（１１０３）、表示部５０の表示モード（１１０４）を示した図である。
【００８１】
Ｓ１００１では、システム制御部３０は、表示部５０の表示モードの切り替え中に発生する可能性のある表示の乱れ等により品位を損なわないようにまず黒画像を表示する（１１０５）。
【００８２】
Ｓ１００２では、システム制御部３０は、撮像部１３の駆動（１２０ｆｐｓ・低解像度）を停止する（１１０６）。
【００８３】
Ｓ１００３では、システム制御部３０は、ライブビュー表示用データ（１０２４×３８４ｐｉｘｅｌ）の生成を停止する（１１０７）。
【００８４】
Ｓ１００４では、システム制御部３０は、表示部５０の表示モードを高速モードから通常モードへ変更する（１１０８）。
【００８５】
Ｓ１００５では、システム制御部３０は、撮像部１３の駆動方法を動画用（６０ｆｐｓ・高解像度）に変更して駆動開始する（１１０９）。
【００８６】
Ｓ１００６では、システム制御部３０は、撮像部１３から撮像された画像のエンコードおよび記録媒体２００へ記録を開始する（１１１０）。
【００８７】
Ｓ１００７では、システム制御部３０は、ライブビュー表示用データ（１０２４×７６８ｐｉｘｅｌ）の生成を開始する（１１１１）。
【００８８】
Ｓ１００８では、システム制御部３０は、Ｓ１００１にて表示していた黒画像を解除し、本処理を終了する。１１１２）。
【００８９】
以上のように、実施例３によれば、図８，９に示す動画記録開始処理では、図１０における処理ステップＳ１００１、Ｓ１００４、Ｓ１００８を行わないことで、動画記録開始時に黒画像の表示がされることなくなる。また、ボタン操作から動画記録開始まで時間遅延を防ぎ、動画記録操作の利便性を高めることができる。
【実施例４】
【００９０】
実施例４では、撮影画面表示設定で高速表示優先が選択された状態において、静止画像撮影後のレビュー画像を表示する際には、表示部５０の表示モードを変更しない例を述べる。
【００９１】
図１２は、実施例４における静止画像撮影処理のフローチャートである。このフローチャートにおける各処理は、システム制御部３０が不揮発性メモリ４１に格納されたプログラムをシステムメモリ３１に展開して実行することにより実現される。
【００９２】
Ｓ１２０１では、システム制御部３０は、撮像部１３のライブビュー表示用（１２０ｆｐｓ・低解像度）駆動を停止する。
【００９３】
Ｓ１２０２では、システム制御部３０は、ライブビュー表示用データ（１０２４×３８４ｐｉｘｅｌ）の生成を停止する。
【００９４】
Ｓ１２０３では、システム制御部３０は、撮像部１３の駆動方法を静止画記録用に変更して駆動開始する。
【００９５】
Ｓ１２０４では、システム制御部３０は、Ｓ１２０３で撮像した画像から静止画像を生成する。
【００９６】
Ｓ１２０５では、システム制御部３０は、静止画像を記録媒体２００へ記録する。
【００９７】
Ｓ１２０６では、システム制御部３０は、Ｓ１２０５で記録した記録媒体２００の静止画像をメモリ４０へ読み込み、デコードする。
【００９８】
Ｓ１２０７では、システム制御部３０は、Ｓ１２０６でデコードした画像からレビュー画像表示用データ（１０２４×３８４ｐｉｘｅｌ）を生成する。
【００９９】
Ｓ１２０８では、システム制御部３０は、Ｓ１２０７で生成したレビュー画像表示用データを表示部５０へ表示する。
【０１００】
Ｓ１２０９では、システム制御部３０は、レビュー画像表示用タイマをスタートする。タイマに設定する値は、例えばメニューでレビュー画像の表示時間を２秒、４秒、１０秒と設定可能であるとすると、メモリ４０に保持された設定秒数に応じた値とする。
【０１０１】
Ｓ１２１０では、システム制御部３０は、Ｓ１２０９でスタートしたタイマがタイムアウトしたか、つまりレビュー画像を表示してから所定時間が経過したかを判定する。所定時間が経過していればＳ１２１１へ進む。
【０１０２】
Ｓ１２１１では、システム制御部３０は、撮像部１３の駆動方法をライブビュー表示用（１２０ｆｐｓ・低解像度）に変更して駆動開始する。
【０１０３】
Ｓ１２１２では、システム制御部３０は、ライブビュー表示用データ（１０２４×３８４ｐｉｘｅｌ）の生成を開始する。
【０１０４】
Ｓ１２１３では、システム制御部３０は、Ｓ１２１２で生成したライブビュー表示用データを表示部５０へ表示して処理を終了する。
【０１０５】
これに対し、撮撮影画面表示設定で高速表示優先が選択された状態において、静止画像撮影後のレビュー画像を表示する際に、表示部５０の表示モードを変更した場合の静止画像撮影処理のフローチャートが図１３である。
【０１０６】
Ｓ１３０１からＳ１３０７は、上述した図１２のＳ１２０１からＳ１３０７と同様の処理なので説明を省略する。
【０１０７】
Ｓ１３０８では、システム制御部３０は、表示部５０の表示モードの切り替え中に発生する可能性のある表示の乱れ等により品位を損なわないようにまず黒画像を表示する。
【０１０８】
Ｓ１３０９では、システム制御部３０は、表示部５０の表示モードを高速モードから通常モードへ変更する。
【０１０９】
Ｓ１３１０からＳ１３１１は、上述した図１２のＳ１２０８からＳ１２０９と同様の処理なので説明を省略する。
【０１１０】
Ｓ１３１２では、システム制御部３０は、Ｓ１３０８にて表示していた黒画像を解除する。
【０１１１】
Ｓ１３１３からＳ１３１６は、上述した図１２のＳ１２１０からＳ１２１３と同様の処理なので説明を省略する。
【０１１２】
以上のように、実施例４によれば、図１２に示す静止画像撮影処理では、レビュー画像表示開始時およびレビュー画像表示終了時に黒画像の表示がされることなく、静止画撮影操作の利便性を高めることができる。
【０１１３】
本発明は、以下の処理を実行することによっても実現される。即ち、上述した実施形態の機能を実現するソフトウェア（プログラム）をネットワーク又は各種記憶媒体を介してシステム或いは装置に供給する。そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0006632236.tif 000002
【図２】
0006632236.tif 000003
【図３】
0006632236.tif 000004
【図４】
0006632236.tif 000005
【図５】
0006632236.tif 000006
【図６】
0006632236.tif 000007
【図７】
0006632236.tif 000008
【図８】
0006632236.tif 000009
【図９】
0006632236.tif 000010
【図１０】
0006632236.tif 000011
【図１１】
0006632236.tif 000012
【図１２】
0006632236.tif 000013
【図１３】
0006632236.tif 000014